(57)【要約】【課題】環境上での状況に応じたサービス性高い広告表示を有効に行うことができるエレベータ用広告表示管理システムを提供する。【解決手段】このシステムでは、ドアＳＷ（スイッチ）５６からのかごドアの開検出状態でエレベータ装置の乗りかご内に設けた熱赤外線温度センサ１４から得られる乗りかご内に乗り込む利用者の表面温度検出値をエレベータ制御システム５１の表示制御手段としての機能によって人間の平常状態の体温の平均値（約３６．５℃）と比較した結果、表面温度検出値の平均値（約３６．５℃）に対する超過（高）、以下（概ね低）に応じて冷モードのコンテンツ、暖モードのコンテンツを選定して乗りかご内の表示手段に対して広告表示を行う。この結果、乗りかご内に乗り込んで表示手段を注視している利用者に対して環境上での状況に応じたサービス性高い広告表示を有効に行い、効果的に店舗や提供する飲食物の広告表示を行うことが可能となる。【選択図】図４
2016132553.tif 000002
【特許請求の範囲】
【請求項１】
建物に設備されるエレベータの昇降路における各階床間を昇降する乗りかご内に設けられた表示手段に対して予め定められたコンテンツに従って広告表示を行わせる表示制御手段を備えたエレベータ用広告管理システムにおいて、
前記乗りかごに乗り込んだ利用者の表面温度を検出する対人温度検出手段を備え、前記表示制御手段は、前記対人温度検出手段からの表面温度検出結果を示す表面温度検出信号の表面温度検出値を人間の平常状態の体温の平均値と比較した結果に応じて、当該表面温度検出値が当該人間の平常状態の平均値を超えていれば冷モードのコンテンツ、当該表面温度検出値が当該平均値以下であれば暖モードのコンテンツを選定して前記表示手段に広告表示することを特徴とするエレベータ用広告管理システム。
【請求項２】
建物に設備されるエレベータの昇降路における各階床間を昇降する乗りかご内に設けられた表示手段に対して予め定められたコンテンツに従って広告表示を行わせる表示制御手段を備えたエレベータ用広告管理システムにおいて、
前記乗りかごに乗り込んだ利用者の表面温度を検出する対人温度検出手段と、前記乗りかご内の室温を検出する室温検出手段と、を備え、前記表示制御手段は、前記対人温度検出手段からの表面温度検出結果を示す表面温度検出信号の表面温度検出値と前記室温検出手段からの室温検出結果を示す室温検出信号の室温検出値とを比較した結果に応じて、当該表面温度検出値が当該室温検出値を超えていれば冷モードのコンテンツ、当該表面温度検出値が当該室温検出値以下であれば暖モードのコンテンツを選定して前記表示手段に広告表示することを特徴とするエレベータ用広告管理システム。
【請求項３】
請求項１又は２記載のエレベータ用広告管理システムにおいて、
前記対人温度検出手段は、熱赤外線温度センサであることを特徴とするエレベータ用広告管理システム。
【請求項４】
請求項３記載のエレベータ用広告管理システムにおいて、
前記熱赤外線温度センサは、前記乗りかご内でかごドアへ向く検出方向の指向性を持つように設けられたことを特徴とするエレベータ用広告管理システム。
【発明の詳細な説明】
【技術分野】
【０００１】
本発明は、建物に設備されるエレベータの昇降路における各階床間を昇降する乗りかご内に設けられた表示手段を利用し、利用者（乗客）向けに所定のコンテンツに従って広告表示を行う機能を有するエレベータ用広告管理システムに関する。
【背景技術】
【０００２】
従来、エレベータの乗りかご内に液晶ディスプレイやドットマトリクス表示装置等の情報表示用の表示手段を設け、この表示手段に対してエレベータの運行に関する情報（階床、運転方向、ドア開閉注意喚起情報等）を表示する他、広告等の各種情報についても表示する試みも実施されている。また、係る表示手段において、利用者（乗客）が所持する例えば非接触型のＩＤカードを読み取ることにより、利用者の性別や年齢、趣味や嗜好等の属性情報を検出し、この属性情報に基づいて利用者が興味を持つと想定される広告情報を表示する技術についても提案されている。
【０００３】
このようなエレベータの乗りかご内に設けた表示手段に対する広告情報表示に関連する周知技術として、例えば表示された広告画像に対する視聴動向を正確に把握できるようにした「エレベータの広告表示管理システム」（特許文献１参照）が挙げられる。
【先行技術文献】
【特許文献】
【０００４】
【特許文献１】特開２００８−１３３０９７号公報
【発明の概要】
【発明が解決しようとする課題】
【０００５】
上述した特許文献１記載の技術は、エレベータの乗りかご内に備えられた表示器が供給された広告画像を順次表示すると共に、乗りかごに乗り込んだ利用者が表示器に表示された広告画像に関心がある場合にのみ、所持したＩＤカードを乗りかご内の表示器近傍に備えられたカードリーダに翳すと表示管理端末がカードリーダにおいて非接触表示器で読み取られたＩＤカードに記録されているＩＤ情報と広告画像の画像番号とを含む視聴情報を広告管理装置へ送信し、広告管理装置が視聴情報を用いて広告画像に対する集計処理を実施する手法を提案している。
【０００６】
ところが、こうした手法では広告管理装置が記憶保持している複数の広告画像を表示管理端末を中継して表示器に供給することを前提としており、実際に適用されるエレベータの広告表示用のコンテンツはエレベータが設置されている建物内や建物付近の店舗の紹介や、販売商品・食品等の紹介であり、こうしたコンテンツを順次表示するか、或いは利用者の属性情報に応じてコンテンツを表示することになるため、例えば乗りかごに乗り込んで来た際の利用者の状況を把握することを考慮していないことにより、環境上での利用者の状況に応じたサービス性高い広告表示を有効に行うことができないという問題がある。
【０００７】
具体的に云えば、エレベータの乗りかご内には夏季の暑い屋外や冬季の寒い屋外から利用者が乗り込む状況を想定し得るが、例えば夏季の暑い屋外から乗りかご内に乗り込んだ利用者には冷たい飲料を供給する店舗を紹介し、それとは逆に冬季の寒い屋外から乗りかご内に乗り込んだ利用者には温かい飲料や食事を供給する店舗を紹介できれば、利用者に対して広告表示への注意喚起を上げることができるものの、現状の広告表示機能では利用者が乗りかごに乗り込んで来た際にその利用者の表面温度を検知する機能が持たされていないため、上述したように環境上での利用者の状況に応じたサービス性高い広告表示を行うことができない。
【０００８】
本発明は、このような問題点を解決すべくなされたもので、その技術的課題は、環境上での状況に応じたサービス性高い広告表示を有効に行うことができるエレベータ用広告表示管理システムを提供することにある。
【課題を解決するための手段】
【０００９】
上記技術的課題を解決するため、本発明のエレベータ用広告表示管理システムの基本構成の１つは、建物に設備されるエレベータの昇降路における各階床間を昇降する乗りかご内に設けられた表示手段に対して予め定められたコンテンツに従って広告表示を行わせる表示制御手段を備えたエレベータ用広告管理システムにおいて、乗りかごに乗り込んだ利用者の表面温度を検出する対人温度検出手段を備え、表示制御手段は、対人温度検出手段からの表面温度検出結果を示す表面温度検出信号の表面温度検出値を人間の平常状態の体温の平均値と比較した結果に応じて、当該表面温度検出値が当該平均値を超えていれば冷モードのコンテンツ、当該表面温度検出値が当該平均値以下であれば暖モードのコンテンツを選定して表示手段に広告表示することを特徴とする。
【００１０】
また、上記技術的課題を解決するため、本発明のエレベータ用広告表示管理システムの基本構成のもう１つは、建物に設備されるエレベータの昇降路における各階床間を昇降する乗りかご内に設けられた表示手段に対して予め定められたコンテンツに従って広告表示を行わせる表示制御手段を備えたエレベータ用広告管理システムにおいて、乗りかごに乗り込んだ利用者の表面温度を検出する対人温度検出手段と、乗りかご内の室温を検出する室温検出手段と、を備え、表示制御手段は、対人温度検出手段からの表面温度検出結果を示す体温検出信号の表面温度検出値と室温検出手段からの室温検出結果を示す室温検出信号の室温検出値とを比較した結果に応じて、当該表面温度検出値が当該室温検出値を超えていれば冷モードのコンテンツ、当該表面温度検出値が当該室温検出値以下であれば暖モードのコンテンツを選定して表示手段に広告表示することを特徴とする。
【発明の効果】
【００１１】
本発明によれば、上記何れかの構成により、環境上での状況に応じたサービス性高い広告表示を有効に行うことができるエレベータ用広告表示管理システムを提供することが可能となる。上記した以外の課題、構成及び効果は、以下の実施の形態の説明により明らかにされる。
【図面の簡単な説明】
【００１２】
【図１】本発明の実施例１に係るエレベータ用広告表示管理システムが適用されるエレベータ装置の要部の概略構成を示した斜視図である。
【図２】図１に示すエレベータ装置の乗りかご内に備えられる機器構成を示した斜視図である。
【図３】図２に示す乗りかご内に設置される対人温度検出手段と表示手段との設置状況を示す概略図である。
【図４】本発明の実施例１に係るエレベータ用広告表示管理システムを成す表示制御手段、表示手段、及び対人温度検出手段を含むエレベータ制御システムとその周辺機器とを示したブロック図である。
【発明を実施するための形態】
【００１３】
以下に、本発明のエレベータ用広告表示管理システムについて、幾つかの実施例を挙げ、図面を参照して詳細に説明する。
【実施例１】
【００１４】
図１は、本発明の実施例１に係るエレベータ用広告表示管理システムが適用されるエレベータ装置１の要部の概略構成を示した斜視図である。
【００１５】
図１を参照すれば、ここでのエレベータ装置１は、建物に設備されるエレベータの昇降路２と、昇降路２の壁面に設けられたガイドレール５に沿って昇降路２における各階床間を昇降すると共に、かごドア６を有する乗りかご３と、乗りかご３の運行を制御すると共に、交流電源に接続された制御盤４と、制御盤４によって制御される巻上機８と、を備え、制御盤４による巻上機８のモータ８Ｂの回転方向及び回転速度の制御に伴い、巻上機８のモータ８Ｂの回転軸に設けられたシーブ８Ａに巻き掛けられた主ロープ７の両端に吊持されている乗りかご３と釣合い錘（カウンターウェイト）９とが昇降路２内をそれぞれ逆方向に昇降動作し、乗りかご３内に乗り込んだ利用者（乗客）を目的の階床に輸送する仕組みとなっている。
【００１６】
図２は、このエレベータ装置１の乗りかご３内に備えられる機器構成を示した斜視図である。
【００１７】
図２を参照すれば、乗りかご３のかごドア６は、乗りかご３が昇降路２における各階床の所定の停止位置で停止すると開閉して利用者の乗降を可能にするものであるが、乗りかご３内には乗り込んだ利用者が行先階の指定やかごドア６の開閉操作等を行うためのかご内操作盤１１と、乗りかご３の現在の階の位置や運転方向を表示するＣＰＩ（Ｃａｒ  Ｐｏｓｉｔｉｏｎ  Ｉｎｄｉｃａｔｏｒ）１２と、が設けられている。このＣＰＩ１２は、液晶ディスプレイやドットマトリクス発光ダイオード（ＬＥＤ）やドットマトリクスエレクトロルミネッセンス（ＥＬ）、ドットマトリクス蛍光表示管（ＦＬＤ）等による表示手段２１が使用されている。この表示手段２１には、乗りかご３の現在の階の位置や運転方向の他、文字、文章、図形、写真、動画等のコンテンツを広告表示させることが可能となっている。また、乗りかご３内には、乗りかご３に乗り込む利用者の体表面温度や衣服表面温度（双方を含めて表面温度とみなす）を検出する対人温度検出手段として、熱赤外線を計測してその温度を短時間で検知する例えばサーモパイルや熱赤外線カメラ等による熱赤外線温度センサ１４が設けられている。
【００１８】
図３は、乗りかご３内に設置される熱赤外線温度センサ１４と表示手段２１との設置状況を示す概略図である。
【００１９】
図３を参照すれば、熱赤外線温度センサ１４は、乗りかご３にかごドア６の開口部を通って乗り込む利用者の表面温度を検出することを目的としているため、乗りかご３の背面部や側部に設けられ、検出方向の指向性としてかごドア６を向くように設置されている。表示手段２１は、かごドア６の上側近傍に設けられ、図示されない表示制御手段によって予め定められたコンテンツに従って広告表示を行わせることが可能となっている。実施例１に係るエレベータ用広告表示管理システムでは、この表示制御手段が熱赤外線温度センサ１４からの表面温度検出結果を示す表面温度検出信号の表面温度検出値を人間の平常状態の体温の平均値３６．５℃と比較した結果に応じて、コンテンツを変更して表示手段２１に広告表示する機能を持つ点を特色としている。
【００２０】
図４は、実施例１に係るエレベータ用広告表示管理システムを成す表示制御手段、表示手段２１、及び熱赤外線温度センサ１４を含むエレベータ制御システム５１とその周辺機器とを示したブロック図である。
【００２１】
図４を参照すれば、ここでのエレベータ制御システム５１には、熱赤外線温度センサ１４及び表示手段２１が接続されている他、周辺機器としての電源、巻上機８、乗り場呼び釦、乗りかご３内のかご内制御盤１１におけるかご呼び釦及び戸開閉釦、かごドア６に設置されているドアＳＷ（スイッチ）５６、インジケータ、安全装置に接続され、エレベータ制御システム５１自体が上述した表示制御手段としての機能を持っている。即ち、エレベータ制御システム５１は、エレベータ装置１を制御すると共に、表示手段２１に対して乗りかご３の現在の階床の位置や運転方向を表示したり、或いは略図する内蔵したコンテンツ記録手段に記録されたコンテンツに従って表示手段２１に対して広告表示を行わせる他、熱赤外線温度センサ１４からの表面温度検出結果を示す表面温度検出信号を入力し、この表面温度検出信号の表面温度検出値を人間の平常状態の体温の平均値（約３６．５℃）と比較した結果に応じて、表面温度検出値が平均値３６．５℃を超えていれば冷モードのコンテンツ、表面温度検出値が平均値以下であれば暖モードのコンテンツを選定して表示手段２１に広告表示することが可能となっている。
【００２２】
具体的に云えば、エレベータ制御システム５１は、かごドア６に設置されているドアＳＷ５６の状態を検出し、かごドア６が開き始めてオンからオフに変化した場合、熱赤外線温度センサ１４からの表面温度検出結果を示す表面温度検出信号を所定の期間取り込んで入力する。ここでの所定の期間は、例えば図３を参照すれば、利用者３０が略図する乗り場（ホール）側からかごドア６を通過して乗りかご３内に入って来る動作の所要時間として、３〜５秒程度の時間を想定している。
【００２３】
そこで、エレベータ制御システム５１では、熱赤外線温度センサ１４から得られた表面温度検出信号の表面温度検出値を例えば人間の平常状態の体温の平均値３６．５℃と比較した結果、表面温度検出値が人間の平常状態の体温の平均値（約３６．５℃）以下（概ね低）の場合には、利用者３０が例えば暖房環境にない冬季の寒い屋外から乗りかご３内に乗り込んだ状態（図３に示される利用者３１の状態）であると判定し、表示手段２１に対して現在の階床の位置や運転方向と共に、利用者３１には暖モードのコンテンツを選定（表示の切換え変更が行われる場合を含むものとする）して温かい飲料や食事を供給する店舗を紹介するような広告表示（温かい飲料や食事を用意している店舗の紹介や具体的なメニューについての写真の表示、或いは暖かさを喚起させる店舗内の写真の表示）を行う。
【００２４】
これに対し、エレベータ制御システム５１では、熱赤外線温度センサ１４から得られた表面温度検出信号の表面温度検出値が人間の平常状態の体温の平均値（約３６．５℃）を超えている（高い）場合には、利用者３０が例えば冷房環境にない夏季の暑い屋外から乗りかご３内に乗り込んだ状態（図３に示される利用者３１の状態）であると判定し、表示手段２１に対して現在の階床の位置や運転方向と共に、利用者３１には冷モードのコンテンツを選定（表示の切換え変更が行われる場合を含むものとする）して冷たい飲料や食事を供給する店舗を紹介するような広告表示（冷たい飲料や食事を用意している店舗の紹介や具体的なメニューについての写真の表示、或いは涼しさを喚起させる店舗内の写真の表示）を行う。
【００２５】
このように、実施例１に係るエレベータ用広告表示管理システムでは、ドアＳＷ５６からの乗りかご３のかごドア６の開成検出状態で乗りかご３内に設けた熱赤外線温度センサ１４から得られる乗りかご３内に乗り込む利用者３０の表面温度検出値をエレベータ制御システム５１における表示制御手段としての機能によって人間の平常状態の体温の平均値（約３６．５℃）と比較した結果、表面温度検出値の平均値（約３６．５℃）に対する超過（高）、以下（概ね低）に応じて冷モードのコンテンツ、暖モードのコンテンツを選定して乗りかご３内の表示手段２１に対して広告表示を行う。この結果、乗りかご３内に乗り込んで表示手段２１を注視している利用者３１に対して環境上での状況に応じたサービス性高い広告表示を有効に行い、効果的に店舗や提供する飲食物の広告表示を行うことが可能となり、ひいては表示コンテンツによる集客効果を高めることが可能となる。
【実施例２】
【００２６】
実施例２に係るエレベータ用広告表示管理システムは、実施例１の場合と比べ、乗りかご３内の室温を検出する略図する室温検出手段を備え、エレベータ制御システム５１における表示制御手段としての機能が熱赤外線温度センサ１４からの表面温度検出結果を示す表面温度検出信号の表面温度検出値と室温検出手段からの室温検出結果を示す室温検出信号の室温検出値とを比較した結果に応じて、コンテンツを変更して表示手段２１に広告表示する機能（ここでも表面温度検出値が室温検出値を超えていれば冷モードのコンテンツ、表面温度検出値が室温検出値以下であれば暖モードのコンテンツを選定して表示手段２１に広告表示する）を持つ点が相違しており、その他の構成は共通している。因みに、ここでの室温検出手段は、乗りかご３の室内、或いは乗りかご３に対して空調された空気を供給する略図する空調手段の空気経路等に設けられるもので、乗りかご３内の室温を常時検出してエレベータ制御システム５１に送出する。
【００２７】
実施例２に係るエレベータ用広告表示管理システムでは、動作上、エレベータ制御システム５１における表示制御手段としての機能が、実施例１の場合と同様に熱赤外線温度センサ１４から得られた表面温度検出信号の表面温度検出値を取り込んだ後、その表面温度検出値を人間の平常状態の体温の平均値（約３６．５℃）と比較するのではなく、同時に室温検出手段から得られた室温検出結果を示す室温検出信号の室温検出値と比較する。この比較結果に応じて、表面温度検出値が室温検出値以下（概ね低）の場合には、実施例１の場合と同様に利用者３０が例えば暖房環境にない冬季の寒い屋外から乗りかご３内に乗り込んだ状態（図３に示される利用者３１の状態）であると判定し、表示手段２１に対して現在の階床の位置や運転方向と共に、利用者３１には暖モードのコンテンツを選定（表示の切換え変更が行われる場合を含むものとする）して温かい飲料や食事を供給する店舗を紹介するような広告表示（温かい飲料や食事を用意している店舗の紹介や具体的なメニューについての写真の表示、或いは暖かさを喚起させる店舗内の写真の表示）を行う。
【００２８】
これに対し、表面温度検出値が室温検出値を超えている（高い）場合には、実施例１の場合と同様に利用者３０が例えば冷房環境にない夏季の暑い屋外から乗りかご３内に乗り込んだ状態（図３に示される利用者３１の状態）であると判定し、表示手段２１に対して現在の階床の位置や運転方向と共に、利用者３１には冷モードのコンテンツを選定（表示の切換え変更が行われる場合を含むものとする）して冷たい飲料や食事を供給する店舗を紹介するような広告表示（冷たい飲料や食事を用意している店舗の紹介や具体的なメニューについての写真の表示、或いは涼しさを喚起させる店舗内の写真の表示）を行う。
【００２９】
このように、実施例２に係るエレベータ用広告表示管理システムでは、ドアＳＷ５６からの乗りかご３のかごドア６の開成検出状態で乗りかご３内に設けた熱赤外線温度センサ１４から得られる乗りかご３内に乗り込む利用者３０の表面温度検出値をエレベータ制御システム５１における表示制御手段としての機能によって乗りかご３内の室温を検出する室温検出手段からの室温検出値と比較した結果、表面温度検出値の室温検出値に対する超過（高）、以下（概ね低）に応じて冷モードのコンテンツ、暖モードのコンテンツを選定して乗りかご３内の表示手段２１に対して広告表示を行う。この結果、乗りかご３内に乗り込んで表示手段２１を注視している利用者３１に対して環境上での状況に応じたサービス性高い広告表示を有効に行い、効果的に店舗や提供する飲食物の広告表示を行うことが可能となり、ひいては表示コンテンツによる集客効果を高めることが可能となる。特に、実施例２のエレベータ用広告表示管理システムでは、乗りかご３内に乗り込む利用者３０の表面温度検出値を乗りかご３内の室温を検出する室温検出手段からの室温検出値と比較するため、乗りかご３内の空調による室温変化にも対応させることが可能になる。
【００３０】
尚、各実施例に係るエレベータ用広告表示管理システムでは、１台の乗りかご３に単一の熱赤外線温度センサ１４を設けた構成を例示したが、熱赤外線温度センサ１４を１台の乗りかご３内に複数設けて平均値を算出して表面温度検出値を用いるようにしても良い。また、各実施例に係るエレベータ用広告表示管理システムでは、エレベータ装置１として、乗りかご３が昇降路２における各階床間を昇降する１系統である場合の構成を例示したが、乗りかご３が並設されて群管理される複数系統の構成としても同等に適用することが可能である。但し、こうした場合、制御盤４は複数系統用意される必要があるが、エレベータ制御システム５１は１系統で対応させることが可能である。更に、各実施例に係るエレベータ用広告表示管理システムでは、乗りかご３に乗り込む利用者３０の表面温度を検出した表面温度検出値を人間の平常状態の体温の平均値（約３６．５℃）や乗りかご３内の室温を検出した室温検出値と相対的に比較した結果の大小関係に応じて冷モードのコンテンツや暖モードのコンテンツを選定するようにしたが、更にこれらの検出値に対する差値を算出してその差値に対する微小な閾範囲値（例えば１〜２℃程度）を設定し、差値が閾範囲値を超過するか否かで冷モードのコンテンツや暖モードのコンテンツを選定するようにすると共に、差値が閾値範囲内であればその他の定常モードのコンテンツを選定させるように広告表示の機能を変更させることも可能である。このように、本発明のエレベータ用広告表示管理システムは、細部構成や処理機能について種々変更することが可能であるため、各実施例で開示した形態に限定されない。
【符号の説明】
【００３１】
１  エレベータ装置
２  昇降路
３  乗りかご
４  制御盤
５  レール
６  かごドア
７  主ロープ
８  巻上機
８Ａ  シーブ
８Ｂ  モータ
９  釣合い錘（カウターウェイト）
１１  かご内操作盤
１２  ＣＰＩ
１４  熱赤外線温度センサ
２１  表示手段
３０、３１  利用者
５１  エレベータ制御システム
５６  ドアＳＷ（スイッチ）
【図１】
2016132553.tif 000003
【図２】
2016132553.tif 000004
【図３】
2016132553.tif 000005
【図４】
2016132553.tif 000006